(57)【特許請求の範囲】
【請求項１】
構造物（３０）であって、前記構造物（３０）の正面に沿って立つ壁（３１）と、前記壁（３１）の背後に位置する埋戻し（３４）と、前記埋戻し（３４）中を延びる少なくとも第１及び第２のジオマテリアル補強材（１１、１２）とを備える構造物（３０）であって、
前記第１のジオマテリアル補強材（１１）と前記第２のジオマテリアル補強材（１２）とが互いに連結されてアセンブリ（１）を形成しており、
前記アセンブリ（１）が、組付け方向（Ｄ１）に組み付けられており、前記２つの補強材（１１、１２）はそれぞれ、略平坦であり、長さおよび幅が厚さより著しく長く、開口部方向（ＤＯ）に配置された少なくとも１列の開口部を含み、同じ補強材の同じ列の開口部（１１１、１２１）のうち任意の隣接する２つの開口部（１１１、１２１）が、ジオマテリアルのセグメント（１１２、１２２）によって分割され、前記組付け方向（Ｄ１）が、前記２つの補強材（１１、１２）それぞれの前記開口部方向（ＤＯ）と略一致しており、
前記２つの補強材のそれぞれの１列の開口部（１１１、１２１）のジオマテリアルのセグメント（１１２、１２２）が、前記組付け方向に配置された同じバー（１３）の周りに、もう一方の補強材の１列の開口部の開口部（１２１、１１１）中にそれぞれ開ループ（１１３、１２３）を形成し、ジオマテリアルの前記セグメント（１１２、１２２）の前記開ループ（１１３、１２３）が、前記２つの補強材（１１、１２）それぞれの略重なった補強部分（１１４、１２４）の近くを延び、第１の補強材（１１）の前記略重なった補強部分（１１４）が、前記第２の補強材（１２）の略重なった補強部分（１２４）が延びる方向と略反対の方向に延びる、構造物（３０）において、
前記アセンブリ（１）を形成するために第２の補強材（１２）に連結された第１の補強材（１１）の両端（１１５）が、前記壁に含まれたパネル（３２）に埋め込まれることを特徴とする、構造物（３０）。
【請求項２】
前記ジオマテリアル補強材が、長さが幅より著しく大きい帯片であることを特徴とする、請求項１に記載の構造物（３０）。
【請求項３】
前記ジオマテリアル補強材がシートであり、前記シートの幅と長さが、略同程度であることを特徴とする、請求項１に記載の構造物（３０）。
【請求項４】
前記補強材が作られる前記ジオマテリアルが、互いに略平行に間隔をあけて配置された複数の細い帯片（１２５）と、上述の細い帯片（１２５）に略垂直である、互いに略平行に間隔をあけて配置された複数の細い帯片（１２６）とから作られた格子の形状であり、隣接する任意の２つの略平行な帯片（１２５）と、それらに垂直であり互いに略平行な１連の細い帯片（１２６）との間の空間が、１列の開口部（１２１）をなすことを特徴とする、請求項１から３のいずれか一項に記載の構造物（３０）。
【請求項５】
１列の開口部（１２１）が、具体的にはジオテキスタイル製の、帯片またはシートの形状の補強材の切抜きから生じることを特徴とする、請求項１から３のいずれか一項に記載の構造物（３０）。
【請求項６】
前記組付け方向に垂直な軸（Ｄ２）が、前記補強材の長さ方向に配置された軸（Ｄ３）に関して角度αをなし、前記角度αが、０°から６０°の範囲、例えば、最大で３０°、あるいは最大で１５°であることを特徴とする、請求項１から５のいずれか一項に記載の構造物（３０）。
【請求項７】
前記第２の補強材（１２）の軸が、組付け方向に垂直な軸（Ｄ２）に関してゼロではない角度αをなし、前記第２の補強材（１２）がジグザグ構成に互いに連結されることを特徴とする、請求項６に記載の構造物（３０）。
【請求項８】
前記第１の補強材（１１）のジオマテリアルの開ループ（１１３）を形成するセグメント（１１２）が、前記第２の補強材（１２）のジオマテリアルの開ループ（１２３）を形成する少なくとも１つのセグメント（１２２）に隣接することを特徴とする、請求項１から７のいずれか一項に記載の構造物（３０）。
【請求項９】
前記組付け方向（Ｄ１）に配置された前記バー（１３）が、円周方向に対称な円筒であることを特徴とする、請求項１から８のいずれか一項に記載の構造物（３０）。
【請求項１０】
構造物を構築する方法であって、壁（３１）、例えばパネル（３２）で作られた壁を、前記構造物の正面に沿って立てるステップと、ジオマテリアル補強材（１１、１２）を適位置に置いた後で、埋戻し材で前記壁の（３１）後ろを埋戻すステップと、前記埋戻し材を締め固めるステップとを含み、第１のジオマテリアル補強材（１１）と第２のジオマテリアル補強材（１２）が互いに結合されてアセンブリ（１）を形成する、構造物を構築する方法において、
パネル（３２）であって、両端（１１５）が前記パネル（３２）に埋め込まれた前記第１のジオマテリアル補強材（１１）を備えるパネル（３２）を供給するステップか、あるいは、補強材の両端が埋め込まれた前記パネル（３２）を現場で形成するステップを含む、方法。
【請求項１１】
互いに組み付けられる第１および第２の補強材（１１、１２）で開ループ（１１３、１２３）が形成された後で、前記第１および第２の補強材の前記ループ（１１３、１２３）を運んで一緒にするステップと、前記第１および第２の補強材（１１、１２）で形成された前記ループ（１１３、１２３）に前記バー（１３）を摺動することによって前記バー（１３）を挿入するステップとをさらに含む、請求項１０に記載の方法。
【発明の詳細な説明】
【技術分野】
【０００１】
本発明は、補強した地盤中に構築する構造物で使用するように設計された、ジオマテリアル補強材のアセンブリに関し、本発明はまた、補強した地盤に構造物を構築するための、ジオマテリアル補強材のアセンブリの使用に関する。
【背景技術】
【０００２】
補強した地盤中に構築する構造物は、締め固めた埋戻し、壁、および任意選択でその壁に連結される補強材に関連する。
【０００３】
金属製補強材、例えば亜鉛めっき鋼補強材、安定化帯片、例えばポリエステル繊維ベースの安定化帯片、および安定化シート、例えばジオマテリアルベースの安定化シートなど、様々なタイプの補強材を使用することができる。それらは、構造物に加えられることがあるストレスに応じた密度で地盤中の適位置に置かれ、地盤からの推力が地盤と補強材との間で擦れることによって受けられる。
【０００４】
壁は、構造物の正面を覆うように並置されたスラブまたはブロックの形状の既製コンクリート要素から作られることが多い。
【０００５】
場合によっては、長さが約３メートル（ｍ）から１０ｍの範囲の帯片の形状の補強材が設けられるが、より短いまたはより長い帯片を使用することができる。帯片の幅は、概して、４センチメートル（ｃｍ）から６ｃｍの範囲であるが、幅が最大１０ｃｍまたは２５ｃｍあるいはさらに大きい帯片を使用することが可能である。それらの厚さは、例えば約１ミリメートル（ｍｍ）から数センチメートル、概して、１ｍｍから６ｍｍの範囲で変更することができる。
【０００６】
他の場合には、例えば長さが約３ｍから１０ｍの範囲のシートの形状の補強材が設けられるが、より短いまたは長いシートを使用することができる。それらのシートの幅は、１メートル程度のものにすることができ、例えば数メートル程度の幅にすることができる。
【０００７】
通常、ジオマテリアル製の補強材を使用する。「ｇｅｏｍａｔｅｒｉａｌ（ジオマテリアル）」という用語は、地盤、岩盤、または土壌と関連して設計された、ポリマーから得られ構造物で使用される平坦な材料を指すのに使用される。
【０００８】
ジオマテリアルは、具体的には、帯片またはシートの形状で販売されている。
【０００９】
それらのジオマテリアルは、織物または不織のテキスタイル手段によって得ることができる。絞り加工によって成形した帯片またはシートから得ることもできる。
【００１０】
それらのジオマテリアルは格子の形状にすることができ、その格子は、概して一様に分布した、網状に配置した開口部を含み、平面の（天然または合成の）ポリマー構造の形状である。
【００１１】
一例として、ジオポリマーは、ポリエチレン、具体的には高密度ポリエチレン（ＨＤＰＥ、ｈｉｇｈ−ｄｅｎｓｉｔｙ  ｐｏｌｙｅｔｈｙｌｅｎｅ）から作られる。
【００１２】
帯片または格子の形状のジオマテリアルは、例えば、ＴＥＮＳＡＲ  Ｉｎｔｅｒｎａｔｉｏｎａｌ社によって市販されており、例えば市販用の番号は、ＴＥＮＳＡＲ  ＲＥ  Ｇｅｏｇｒｉｄ（詳細には４０ＲＥ、５５ＲＥ、８０ＲＥ、１２０ＲＥ、および１６０ＲＥ）、ＴＥＮＳＡＲ  ＳＲ  Ｇｅｏｇｒｉｄ（詳細にはＳＲ５５、ＳＲ８０、およびＳＲ１１０）、ＴＥＮＳＡＲ  ＳＳ  Ｇｅｏｇｒｉｄ（詳細には、ＳＳ２０、ＳＳ３０、ＳＳ４０、ＳＳ２、ＳＳＬＡ２０、およびＳＳＬＡ３０）である。
【００１３】
他のジオマテリアルが他の会社によって販売されている。
【００１４】
補強材、具体的には安定化帯片またはシートの目的は、地盤または土壌に力を伝達し、したがって、力を分配することである。
【００１５】
具体的には、補強材とそれが置かれている埋戻しとの間で力を伝達することが重要である。したがって、補強材の表面積は、摩擦によって必要な単位長さあたりのせん断強度を生み出すのに十分なものでなければならない。
【００１６】
さらに、好ましくは、補強材は、その全長にわたって力を伝達することができ、したがって高いけん引強度（ｔｒａｃｔｉｏｎ  ｓｔｒｅｎｇｔｈ）を有する。
【００１７】
ジオマテリアル補強材を実施する場合には、敷設の容易さおよび力の分配の構成の観点からだけでなく、経済的理由からも、ジオマテリアル補強材のアセンブリを使用することが有利になることがある。
【００１８】
周知のようにして、本発明の文脈の中では「ｓｔａｎｄａｒｄ  ａｓｓｅｍｂｌｙ（標準アセンブリ）」と称されるアセンブリを形成するように、バーを使用して２つのジオマテリアル補強材を互いに組み付けることができる。
【００１９】
こうした標準アセンブリ２を図１に全体的に示す。図１では、格子の形状のジオマテリアル補強材の２つの部分２１、２２が、バー２０によって互いに結合されている。補強材２１、２２はそれぞれ、複数列の開口部２３、２４を含み、隣接する任意の２つの開口部は、ジオマテリアルのそれぞれのセグメント２５、２６によって分割される。２列の開口部ならびにセグメント２３および２５ならびに２４および２６は、ジオマテリアルの横断部分２９によって分割される。第１の補強材２１のジオマテリアルのある列のセグメント２５は、第２の補強材２２のある列の開口部２４に配置され、相補的に、第２の補強材２２の前記の列の開口部２４のセグメント２６の列は、第１の補強材２１の前記の列のセグメント２５の開口部２３の列に配置される。バー２０は、第２の補強材２２のセグメント部分２７がバー２０の上方にあり、前記セグメント部分２７がその両側で第２の補強材２２の下方に配置されたセグメント部分２８の近くを延び、相補的に、第１の補強材２１のセグメント部分がバー２０の下方にあり、前記セグメント部分がその両側で第１の補強材２１の上方に配置されたセグメント部分の近くを延びるように、２つの補強材２１、２２の前記列のセグメント２５、２６の間に挿入される。
【００２０】
あいにく、こうした標準アセンブリには、いくつかの欠点があり、具体的には、例えば、セグメント２５、２６がバー２０と接触するゾーンの近くかまたはそれらがジオマテリアルの横断部分２９に連結される結合点の近くの部分のセグメント２５、２６の可能性のある弱点などのいくつかの弱点がある。
【発明の開示】
【発明が解決しようとする課題】
【００２１】
本発明の一目的は、このようにして互いに組み付けた補強材を使用して、アセンブリ内で補強材がせん断するリスクを低減し、それにより構造物の耐用年数を延長することを可能にするジオマテリアル補強材のアセンブリを提案することである。
【課題を解決するための手段】
【００２２】
したがって、本発明は、補強した地盤中に構築する構造物用の第１のジオマテリアル補強材と第２のジオマテリアル補強材の、組付け方向に組み付けるアセンブリにおいて、２つの補強材はそれぞれ、略平坦であり、長さおよび幅が厚さより著しく長く、開口部方向に配置された少なくとも１列の開口部を含み、同じ補強材の同じ列の開口部のうち任意の隣接する２つの開口部が、ジオマテリアルのセグメントによって分割され、組付け方向が、２つの補強材それぞれの開口部方向と略一致するアセンブリであって、２つの補強材のそれぞれの１列の開口部のジオマテリアルのセグメントが、組付け方向に配置された同じバーの周りに、もう一方の補強材の１列の開口部の開口部中にそれぞれ開ループを形成し、ジオマテリアルのセグメントの開ループが、２つの補強材それぞれの略重なった補強部分の近くを延び、第１の補強材の略重なった補強部分が、第２の補強材の略重なった補強部分が延びる方向と略反対の方向に延びるアセンブリを提供する。
【００２３】
本発明のジオマテリアル補強材のアセンブリによって、隣接する２つの開口部間のセグメント上で組付け方向に配置されたバーによって加えられたせん断力は、非常に著しく軽減される。
【００２４】
さらに、標準アセンブリとは異なり、２つのジオポリマー補強材が相互に貫入することにより、アセンブリゾーン中の２つの補強材の間で直接接触する面積はあまり大きくならない。その結果、埋戻しが補強材と擦れる構造物中に補強材が配置されるときにその補強材を損傷するリスクが小さくなる。
【００２５】
本発明のアセンブリは実施するのが簡単であり安価であることも留意されたい。位置を選択し、構造物中のこれらのアセンブリの数または密度を最適化し、したがって、機械的な特性およびコストを最適化するのが簡単である。
【００２６】
本発明のジオマテリアル補強材のアセンブリは、以下の任意選択の特徴を、個別にまたは実行可能な組合せで１つまたは複数有することもできる。
・ジオマテリアル補強材は、長さが幅より著しく長い帯片である。
・ジオマテリアル補強材は、幅および長さが略同程度のシートである。
・補強材が作られるジオマテリアルは、互いに略平行に間隔をあけて配置された複数の細い帯片と、上述の細い帯片に略垂直に配置された、互いに略平行に間隔をあけて配置された複数の細い帯片とから作られた格子の形状であり、略平行な隣接する２つの帯片の間の間隔ならびにそれに垂直な１連の略平行な細い帯片が１列の開口部を形成する。
・１列の開口部は、具体的にはジオテキスタイルから作られた、帯片またはシートの形状の補強材の切欠きから生じる。
・組付け方向に垂直な軸は、補強材の長さ方向に配置された軸に関して角度αをなし、その角度αは０°から６０°の範囲、例えば最大３０°あるいは最大１５°である。
・第２の補強材の軸は、組付け方向に垂直な軸に関してゼロではない角度αをなし、第２の補強材は、ジグザグ構成に互いに連結される。
・第１の補強材のジオマテリアルの開ループを形成するセグメントが、第２の補強材のジオマテリアルの、開ループを形成する少なくとも１つのセグメントに隣接する。
・組付け方向に配置されたバーは、円周方向に対称の円筒である。
【００２７】
本発明はまた、構造物の正面に沿って立っている壁と、その壁の背後に位置する埋戻しと、その埋戻し中に延びるジオマテリアル補強材とを備える構造物も提供し、前記構造物は、少なくとも第１および第２のジオマテリアル補強材が互いに連結され、本発明の上述のアセンブリを形成することを特徴とする。
【００２８】
前記構造物の一実施形態では、前記アセンブリを形成するために第２の補強材に連結された第１の補強材の少なくとも一方の端部、例えば両方の端部が壁に挿入され、例えば前記壁に含まれるパネルに埋め込まれる。
【００２９】
本発明はまた、構造物を構築する方法も提供し、前記方法は、壁、例えばパネルから作られた壁を構造物の正面に沿って立てるステップと、ジオマテリアル補強材を適位置に置いた後で前記壁の後ろを埋戻し材で埋戻すステップと、埋戻し材を締め固めるステップを含み、その際第１のジオマテリアル補強材と第２のジオマテリアル補強材が互いに連結されて、本発明の上述のアセンブリを形成する。
【００３０】
前記方法の実施の際には、その方法はさらに、一方の端部あるいは両方の端部が前記パネル中に挿入された第１のジオマテリアル補強材を含む、壁用のパネルを供給するステップ、あるいは少なくとも１つの補強材の端部が挿入されたパネルを現場で形成するステップとを含み、その際前記補強材が第１の補強材を構成し、前記アセンブリと同様に第２のジオマテリアル補強材に連結される。
【００３１】
前記方法の実施の際には、第１および第２の補強材を互いに組み付けて開ループを形成した後で、その方法はさらに、第１および第２の補強材の前記ループを運んで一緒にするステップと、第１および第２の補強材で形成されたループ中にバーを摺動させることによってバーを挿入するステップを含む。
【００３２】
本発明の文脈では、２つの補強材が互いに組み付けられる「ａｓｓｅｍｂｌｙ  ｄｉｒｅｃｔｉｏｎ（組付け方向）」という用語は、各補強材がループをその周りに形成する軸を指すために使用される。概して、その方向は、少なくとも１つの補強材の幅方向、あるいは両方の補強材の幅方向によって構成される。
【００３３】
所与の例では、組付け方向の周りに形成されたループは、それぞれの補強材の略反対の方向に延びる開ループである。
【００３４】
「ｌｏｏｐ（ループ）」という用語は、進路（ｐａｔｈ）の第１の部分がその進路の第２の部分と重なり、第１および第２の部分が湾曲した第３の部分によって連続するようにして相互連結された進路を指すために使用される。
【００３５】
「ｏｐｅｎ  ｌｏｏｐ（開ループ）」という用語は、進路の第３の部分がそれ自体で輪にならず、例えばＣ字形であるループを指すために使用される。
【００３６】
第２の寸法「より著しく大きい」第１の寸法とは、第１の寸法が第２の寸法より少なくとも５倍、あるいは１０倍大きいことを示す。
【００３７】
「ｒｏｗ（列）」という用語は、所与の方向に配置された、連続した同じ要素または同じパターンを指すために使用される。
【００３８】
「ｏｐｅｎｉｎｇｓ  ｄｉｒｅｃｔｉｏｎ（開口部方向）」という用語は、１列の開口部に沿って通る軸を指すために使用される。こうした軸は、補強材の幅に沿って延びることができるが、開口部方向が補強材の同じ列の開口部のうちいくつかの開口部と重なる（ｅｎｃｏｕｎｔｅｒ）限り、主方向（補強材の幅または長さ）に関して著しく傾斜させることもできる。
【００３９】
本発明は、単に例示として示した以下の説明を読み、添付の図面を参照して、よりよく理解することができる。
【発明を実施するための最良の形態】
【００４０】
簡潔にするために、図示の様々な要素は必ずしも正しい縮尺で描いていない。
【００４１】
図２は、本発明のアセンブリの一例を全体的に示す。
【００４２】
アセンブリ１は、第１のジオマテリアル補強材１１と第２のジオマテリアル補強材１２を結合する。
【００４３】
図示の補強材１１および１２は、「ｇｅｏｇｒｉｄ（ジオグリッド）」タイプのものである。補強材１１は、材料を引き抜き加工および穴あけ加工することによって得られるジオグリッドタイプのものであり、ジオマテリアルのセグメント１１２は、連続して延びる材料で得られ、セグメントは平行に配置され、各端部でそれぞれの横断部分１１５によって相互連結される。セグメント１１２および２つの横断部分１１５は１列の開口部１１１を画定する。
【００４４】
補強材１２は、細い帯片を互いに組み付けることによって得られるジオグリッドタイプのものである。複数の細い帯片１２６は、補強材１２の長さ方向に互いに略平行に配置される。複数の細い帯片１２５は、補強材１２の幅方向に互いに略平行に配置され、前述の細い帯片１２６に略垂直に互いに組み付けられる。その結果、複数のセグメント１２２は互いに略平行になり、細い帯片１２５によって構成された横断部分を介して相互連結される。１列のセグメント１２２および２つの横断部分１２５はそれぞれ、各端部で同じセグメント１２２に相互連結され、それにより、１列の開口部１２１を画定する。
【００４５】
２つの補強材１１、１２はバー１３によって互いに連結され、そのバー１３の軸は組付け方向Ｄ１をなす。
【００４６】
補強材１１、１２はそれぞれ、１列のセグメント１１２、１２２を含み、それらのセグメントはバー１３の周りに、したがって、組付け方向Ｄ１の周りに開ループ１１３、１２３を形成する。
【００４７】
開ループ１１３、１２３を形成するそれらのセグメントは、補強部分１１４、１２４の近くを延び、それらの補強部分１１４、１２４は、少なくとも１つの成分が軸Ｄ２に平行な状態で延び、その際軸Ｄ２は、補強材１１、１２がその上下で延びる平面に位置した軸Ｄ１に垂直な軸である。補強部分１１４は、平面Ｄ１、Ｄ２の両側に位置するという意味では少なくともバー１３の近くで略重ねられる。同じことが補強部分１２４に当てはまる。
【００４８】
補強材１１の１列の開口部１１１は、Ｄ１と略一致する方向ＤＯに延び、ループ１２３を形成する補強材１２のセグメント１２２が前記開口部１１１に位置するようにして配置される。同じことが補強材１２の１列の開口部１２１およびループ１１３を形成する補強材１１の補強材セグメント１１２に当てはまる。
【００４９】
図示の例では、１つまたは２つの補強材セグメント１１が補強材１２の開口部１２１それぞれに配置され、補強材セグメント１２は、補強材１１の開口部１１１それぞれに配置されないかまたは１つ配置される。
【００５０】
補強部分１１４は、軸Ｄ２に沿った方向の成分が補強部分１２４の場合には正であり、補強部分１１４の場合には負であるという意味では、補強部分１２４が延びる方向と実質的に反対の方向に延びる。
【００５１】
図示の例では、補強材１２は、軸Ｄ２に関して斜めに配置される。細い帯片１２６に沿った方向Ｄ３は、平面Ｄ１、Ｄ２のＤ２に平行な方向Ｄ’２に関して角度αをなす。
【００５２】
αの値はこの例では約１０°から２０°の範囲である。この特徴によって、補強材１２をジグザグ構成に配置することが可能である。複数の補強材１２を互いに結合して、幅の広い連続した補強材を形成することができる。
【００５３】
限定するものではないが、図示の実施形態では、補強材１１は短く、１列の補強材セグメント１１２に限定される。
【００５４】
一実施形態（図示せず）では、補強材１１の各端部は横断部分１１５に連結され、少なくとも一方あるいは両方の横断部分１１５がパネル中に埋め込まれ、それにより、補強した地盤中に構築する構造物用の壁を構成することが可能になる。
【００５５】
図３は、本発明の構造物３０を示す。本発明の互いに組み付けたジオマテリアル補強材１が敷設された締め固めた埋戻し３４は、構造物の表側では、並列する既製の要素３２から作られた壁３１によって、裏側では構造物３０がそれに対して直立する面３３によって画定される。
【００５６】
構造物３０のための粘着性をもたらすには、互いに組み付けたジオマテリアル補強材１は、壁要素３２に連結することができ、埋戻し３４中をある距離にわたって延びることができる。これらの互いに組み付けたジオマテリアル補強材１は、壁３１の背後の補強ゾーンＺ中に位置する地盤を補強することに寄与する。
【００５７】
ジオマテリアル補強材１のアセンブリ１は、第１の補強材１１を備え、その第１の補強材１１は、図２に示すように配置されたバー１３によって第２の補強材１２に組み付けられる。
【００５８】
こうした補強ゾーンＺでは、埋戻し材３４は互いに組み付けたジオマテリアル補強材１によって補強されるので非常に強い。したがって、互いに組み付けたジオマテリアル補強材１がさらされる推力によって加えられるせん断ストレスに耐えることが可能である。当然、この補強したゾーンＺは、壁３１をしっかりと保持するのに十分な厚さのものでなければならない。
【００５９】
したがって、単に互いに組み付けたジオマテリアル補強材１を壁要素３２の背後に連結するだけで、埋戻しに接して用いられる壁を保持することが可能になる。その埋戻しは体積が大きくてよい。
【００６０】
可能な実施形態では、第１の互いに組み付けたジオマテリアル補強材１は、壁要素３２の製造中に組み込まれる。よくあることであるが、要素３２が既製のコンクリート要素であるときは、要素３２の打設されたコンクリート中に第１の補強材１１の一部分を埋め込むことができる。図３に示した構造物の構成の例では、互いに組み付けたジオマテリアル補強材１は、水平面に配置され、構造物の高さ全体にわたって交互に重ねられる。
【００６１】
図３に示す構造物を立てるためには、以下のように進行することが可能である。
ａ）埋戻し材である高さまで埋戻すことが可能になるようにいくつかの壁要素３２を適位置に置き、周知のようにして、壁要素の互いへの組み付けおよび配置を、それらの間に置いたアセンブリ部材によって容易にすることができる。
ｂ）すでに存在する埋戻しの上に互いに組み付けたジオマテリアル補強材１を設置し、その間にそれらに推力が少し加えられている。
ｃ）壁要素３１の後ろ側の上で、次のレベルの互いに組み付けたジオマテリアル補強材１まで、直前に設置した互いに組み付けたジオマテリアル補強材１の層の上を埋戻し材で埋戻し、その埋戻し材は埋戻しに使用されているときに締め固められる。
ｄ）埋戻しの一番上のレベルに達するまでステップａ）からｃ）を繰り返す。
【００６２】
上述の構造およびそれを構築する方法に非常に多くの変更を行うことができることに留意されたい。
【００６３】
ジグザグ構成に配置された帯片の形状の補強材の場合でも本発明の方法を実施することも可能になる。第２の補強材１２により、補強材１２を壁３１に固定することによって、例えば、面３３に固定することによって連結されたフック、ループまたは当業者に知られた他の手段によって、やはり壁３１を地盤の面３３に固定することができる。
【００６４】
本発明は、これらのタイプの実施形態に限定するものではなく、非限定的であり等価の実施形態を包含するように解釈すべきである。
【図面の簡単な説明】
【００６５】
【図１】上記で説明したアセンブリの従来技術のモードの斜視図である。
【図２】本発明のアセンブリの斜視図である。
【図３】補強した地盤に構築した本発明の構造物の概略側部断面図である。
【符号の説明】
【００６６】
１    ジオマテリアル補強材のアセンブリ
１１    第１のジオマテリアル補強材
１２    第２のジオマテリアル補強材
１３    バー
１１１、１２１    開口部
１１２、１２２    ジオマテリアルのセグメント
１１３、１２３    開ループ
１１４、１２４    補強部分
１１５    横断部分
１２５、１２６    細い帯片
Ｄ１    組付け方向
Ｄ２    組付け方向に垂直な軸
Ｄ３    補強材の長さ方向に配置された軸
ＤＯ    開口部方向
【図１】
0005460013.tif 000002
【図２】
0005460013.tif 000003
【図３】
0005460013.tif 000004